(57)【要約】  磁気駆動組立体は、円筒状端部ベル部分と、端部ベル部分に隣接する円筒状ハブ部分とを有する筺体を含み、この場合、ハブ部分の半径は、端部ベル部分の半径より大きい。１つまたは複数の装着タブが、ハブ部分から径方向に外方向に延びる。筺体は、熱を分散させ、ガセットのやり方で装着タブを構造的に支持するための、装着タブに関連付けられた伝熱フィンを有する。伝熱フィンは、各々の装着タブの対向する側に配置されて、筺体の両軸方向に装着タブのための支持を提供する。内部圧力を解放するために、筺体は、液体ではなく気体が筺体を出入りすることを可能にする、少なくとも１つの均圧通気口を有することができる。【選択図】図８
2016513548.tif 000002
【特許請求の範囲】
【請求項１】
磁気駆動組立体であって、
第１の半径を有する円筒状端部ベル部分と、前記端部ベル部分の開放端部にある円筒状ハブ部分であって、前記第１の半径より大きい第２の半径を有する、ハブ部分と、前記ハブ部分から径方向に外方向に延びる装着タブであって、締結具穴を含む装着タブと、前記ハブ部分および前記装着タブに接触するための少なくとも１つの伝熱フィンとを含む筺体と、
前記端部ベル部分内に受け入れられたステータ組立体と、
前記筺体の前記ハブ部分内に位置するリング形状くぼみを有するハブを含むロータ組立体と、
前記ハブの前記くぼみ内に保持された駆動リング磁石とを備える、磁気駆動組立体。
【請求項２】
前記少なくとも１つの伝熱フィンが、前記ハブ部分と接触する軸方向に延びる縁を各々が有する、複数の第１の伝熱フィンと、前記端部ベル部分と接触する軸方向に延びる縁を各々が有する、複数の第２の伝熱フィンとを含む、請求項１に記載の磁気駆動組立体。
【請求項３】
前記複数の第１の伝熱フィンが、前記装着タブと接触する径方向に延びる縁を各々が有する、請求項２に記載の磁気駆動組立体。
【請求項４】
前記複数の第２の伝熱フィンが、前記ハブ部分および前記装着タブと接触する径方向に延びる縁を各々が有する、請求項２に記載の磁気駆動組立体。
【請求項５】
前記複数の第２の伝熱フィンが、前記ハブ部分および前記装着タブと接触する径方向に延びる縁を各々が有する、請求項３に記載の磁気駆動組立体。
【請求項６】
前記複数の第１の伝熱フィンが、前記ハブ部分と前記装着タブの間にガセット支持体を形成し、前記複数の第２の伝熱フィンが、前記端部ベル部分と前記装着タブの間にガセット支持体を形成する、請求項５に記載の磁気駆動組立体。
【請求項７】
前記複数の第１の伝熱フィンが、前記装着タブの、前記複数の第２の伝熱フィンに対して反対側に配置される、請求項５に記載の磁気駆動組立体。
【請求項８】
液体ではなく、気体が前記筺体を出入りすることを可能にする少なくとも１つの均圧通気口をさらに備える、請求項１に記載の磁気駆動組立体。
【請求項９】
前記筺体が、複数の前記装着タブを備える、請求項１に記載の磁気駆動組立体。
【請求項１０】
磁気駆動モータ用の筺体であって、
第１の半径を有する円筒状端部ベル部分と、
前記端部ベル部分の開放端部にある円筒状ハブ部分であって、前記第１の半径より大きい第２の半径を有する、円筒状ハブ部分と、
前記ハブ部分から径方向に外方向に延びる装着タブであって、締結具穴を含む、装着タブと、
前記ハブ部分および前記装着タブと接触する少なくとも１つの伝熱フィンとを備える、筺体。
【請求項１１】
前記少なくとも１つの伝熱フィンが、前記ハブ部分と接触する軸方向に延びる縁を各々が有する複数の第１の伝熱フィンと、前記端部ベル部分と接触する軸方向に延びる縁を各々が有する複数の第２の伝熱フィンとを含む、請求項１０に記載のモータ筺体。
【請求項１２】
前記複数の第１の伝熱フィンが、前記装着タブと接触する径方向に延びる縁を各々が有する、請求項１１に記載のモータ筺体。
【請求項１３】
前記複数の第２の伝熱フィンが、前記ハブ部分および前記装着タブと接触する径方向に延びる縁を各々が有する、請求項１１に記載のモータ筺体。
【請求項１４】
前記複数の第２の伝熱フィンが、前記ハブ部分および前記装着タブと接触する径方向に延びる縁を各々が有する、請求項１２に記載のモータ筺体。
【請求項１５】
前記複数の第１の伝熱フィンが、前記ハブ部分と前記装着タブの間にガセット支持体を形成し、前記複数の第２の伝熱フィンが、前記端部ベル部分と前記装着タブの間にガセット支持体を形成する、請求項１４に記載のモータ筺体。
【請求項１６】
前記複数の第１の伝熱フィンが、前記装着タブの、前記複数の第２の伝熱フィンに対して反対側に配置される、請求項１４に記載のモータ筺体。
【請求項１７】
液体ではなく気体が前記筺体を出入りすることを可能にする少なくとも１つの均圧通気口をさらに備える、請求項１０に記載のモータ筺体。
【請求項１８】
前記筺体が、複数の前記装着タブを備える、請求項１０に記載のモータ筺体。
【発明の詳細な説明】
【技術分野】
【０００１】
関連出願の相互参照
[0001]本出願は、２０１３年３月１５日出願の米国仮特許出願第６１／７８６，７６８号に対する優先権を主張するものであり、その開示全体は、参照によって本明細書に組み込まれる。
【０００２】
[0002]本発明は、一般的に、電気モータに関し、より詳細には耐水性電気モータに関する。
【背景技術】
【０００３】
[0003]たとえば米国特許第６，７９３，１６７号および米国特許第８，２８２，２６８号に開示されているように、ブレンダとかき氷器を単一電気器具として組み合わせることが知られている。そのような電気器具は、レストランおよびバーでフローズン飲料を生み出すために使用される。レストランおよびバーは、しばしば、フローズン飲料が望ましい暖かく湿度の高い場所にある。
【０００４】
[0004]図１および図２は、従来技術の組み合わせられたかき氷器およびブレンダを示す。ブレンダの機能は、羽根車をその底部に有するブレンダカップによって提供され得る。羽根車は、ブレンダカップの基部内に回転可能に装着された鉄製駆動プレートに結合されてよく、それにより、羽根車は駆動プレートと共に回転する。ブレンダカップは、ブレンダカップ内の駆動プレートの回転を磁気的に駆動させるように構成された、電気器具の磁気駆動装置の上部に取り外し可能に受け入れられ、それによって羽根車の回転を引き起こす。磁気駆動装置は、ステータ巻線およびロータ組立体を有するブラシレスｄ．ｃ．モータを含むことができ、この場合、ロータ組立体はリング形状の駆動磁石を含み、この駆動磁石は、ハブ内に保持され、ブレンダカップの基部内の駆動プレートの回転を磁気的に引き起こすように構成される。一部の実施形態では、駆動リング磁石は、直径約１２．７ｃｍ（５インチ）および重さ約１．３６ｋｇ（３ポンド）である。４、０００から１０、０００ｒｐｍまで変動する通常の作動速度では、回転する駆動リング磁石は、大きな力、特に騒音および振動を生み出す迅速に変動する力をモータ装着構造上に及ぼし得る。駆動モータの筺体内に蓄積された熱および圧力は、モータ作動中の懸念事項である。ステータ巻線およびモータ制御フィードバックを提供する感知電子装置は、液体への露出から保護されなければならず、そのため開放通気された筺体は、熱および圧力の蓄積に対する利用可能な解決策ではない。
【発明の概要】
【発明が解決しようとする課題】
【０００５】
[0005]必要とされているのは、駆動モータの作動に関連付けられた熱および圧力を分散させることができる改良された磁気駆動装置設計である。
【課題を解決するための手段】
【０００６】
[0006]本発明は、熱および圧力を分散させるように構成された筺体を特徴とする磁気駆動組立体を提供する。
[0007]本発明の一実施形態では、磁気駆動組立体は、円筒状端部ベル部分と、端部ベル部分の開放端部にある円筒状ハブ部分とを含む筺体を備え、ハブ部分の半径は、端部ベル部分の半径より大きい。１つまたは複数の装着タブが、ハブ部分から外方向に径方向に延び、この場合、各々のタブは締結具穴を含む。筺体は、さらに、ハブ部分および装着タブと接触する少なくとも１つの伝熱フィンを備える。
【０００７】
[0008]ステータ組立体およびロータ組立体は、筺体内に収容され、ステータ組立体は、端部ベル部分内に受け入れられている。ロータ組立体は、筺体のハブ部分内に位置するリング形状のくぼみを有するハブを含み、駆動リング磁石が、ハブのくぼみ内に保持される。
【０００８】
[0009]本発明の一実施形態では、複数の装着タブが提供され、各々のタブは、ハブ部分と接触する、軸方向に延びる縁を有する複数の第１の伝熱フィンと、端部ベル部分と接触する、軸方向に延びる縁を有する複数の第２の伝熱フィンとを有する。第１の伝熱フィンの各々は、装着タブと接触する径方向に延びる縁を有することができ、第２の伝熱フィンの各々は、ハブ部分および装着タブと接触する径方向に延びる縁を有することができる。各々の第１の伝熱フィンは、ハブ部分と装着タブの間にガセット支持体を形成することができ、各々の第２の伝熱フィンは、端部ベル部分と装着タブの間にガセット支持体を形成することができる。第１の伝熱フィンは、装着タブの、第２の伝熱フィンに対して反対側に配置されてよく、それによって装着タブは、両軸方向にきつく締め付けられる。
【０００９】
[0010]筺体内の圧力の蓄積を緩和するために、筺体は、さらに、少なくとも１つの均圧通気口を備えて、液体ではなく気体が筺体に出入りすることを可能にする。
[0011]本発明の作動の性質および形態が、次に、添付の図を使用して本発明の以下の詳細な説明においてより完全に説明される。
【図面の簡単な説明】
【００１０】
【図１】[0012]知られている技術による、かき氷器およびブレンダの組合せの斜視図である。
【図２】[0013]図１に示されるかき氷器およびブレンダの組合せの概略断面図である。
【図３】[0014]本発明の実施形態によって形成されたブレンダカップ磁気駆動装置の断面化された斜視図である。
【図４】[0015]図３に示される磁気駆動装置の上部平面図である。
【図５】[0016]図３に示される磁気駆動装置の側面図である。
【図６】[0017]図３に示される磁気駆動装置の底部平面図である。
【図７】[0018]図３に示される磁気駆動装置の斜視図である。
【図８】[0019]図３に示される磁気駆動装置の別の斜視図である。
【図９】[0020]図３に示される磁気駆動装置のさらなる斜視図である。
【発明を実施するための形態】
【００１１】
[0021]図３〜９は、本発明の実施形態によって形成された磁気駆動組立体１０を示す。磁気駆動組立体１０は、ブレンダ装置内の磁気駆動組立体の上部に配置されたブレンダカップ内に位置する羽根車の回転を磁気的に駆動するために使用され得る。
【００１２】
[0022]示される実施形態では、磁気駆動組立体１０は、全体的に、筺体１２と、ステータ組立体１４と、ハブ１８を含むロータ組立体１６と、ハブのリング形状くぼみ２０内に保持された駆動リング磁石２２とを備える。電気リード束１３は、封止はとめ１５を通って筺体１２に入る。
【００１３】
[0023]筺体１２は、第１の半径Ｒ１を有する円筒状端部ベル部分２４と、端部ベル部分２４の開放端部にある、第２の半径Ｒ２を有する円筒状ハブ部分２６とを含む。筺体１２は、さらに、ハブ部分２６から径方向に外方向に延びる複数の装着タブ２８と、ハブ部分２６および装着タブ２８と接触する少なくとも１つの伝熱フィン３０、３１とを含む。各々の装着タブ２８は、１つまたは複数の締結具穴３２を含むことができる。示された実施形態では、筺体１２は、６つの装着タブ２８を有するが、より多いまたはより少ない装着タブが、提供されてもよい。たとえば、単一の装着タブ２８が、ハブ部分２６を取り囲む連続環状フランジの形態で提供されてよい。図６に示されるように、第２の半径Ｒ２は、第１の半径Ｒ１より大きくてよく、その結果、径方向の段が生じ、ここで端部ベル部分２４は、ハブ部分２６と交わる。
【００１４】
[0024]ステータ組立体１４は、端部ベル部分２４内に受け入れられ、また、ロータ組立体１６の回転軸の周りに角度的に離間された複数の巻線３４を含む。筺体１２の端部ベル部分２４は、軸方向に延びる内部スリーブ３６を画定し、この中に、ロータ組立体１６の駆動シャフト３８が、回転式軸受４０の対によって回転可能に装着される。ハブ１８は、駆動シャフト３８上に固定式に装着され、また、筺体１２の内部スリーブ３６上の空隙と嵌合する軸部分４２を含む。ロータリング磁石４４が、ステータ巻線３４の径方向に反対側のハブ軸部分４２の周りに固定式に配置される。理解されるように、ステータ巻線３４が励磁され整流されたとき、ハブ１８を含むロータ組立体１６は、ステータ組立体１４および筺体１２に対して回転する。その結果、ハブ１８のリング形状くぼみ２０内に保持された駆動リング磁石２２もまた回転して、ブレンダカップ羽根車を磁気的に駆動する。
【００１５】
[0025]伝熱フィン３０、３１は、筺体１２の露出された表面積を増大させ、それにより、熱は、筺体から周囲環境により容易に分散される。示される実施形態では、筺体１２は、筺体１２のハブ部分２６と接触する軸方向に延びる縁３０Ａを各々が有する複数の第１の伝熱フィン３０と、筺体１２の端部ベル部分２４と接触する軸方向に延びる縁３１Ａを各々が有する複数の第２の伝熱フィン３１とを含む。第１の伝熱フィン３０は、関連付けられた装着タブ２８と接触する径方向に延びる縁３０Ｂを各々が有する。第２の伝熱フィン３１は、ハブ部分２６および関連付けられた装着タブ２８と接触する径方向に延びる縁３１Ｂを各々が有する。第１の伝熱フィン３０は、装着タブ２８の、第２の伝熱フィン３１に対して反対側に配置されてよく、それによって装着タブに対して対向する支持を提供する。示される例示的な実施形態では、第１の伝熱フィン３０は、ハブ部分２６と関連付けられた装着タブ２８の間にガセット支持体を形成することができ、第２の伝熱フィン３１は、端部ベル部分２４と関連付けられた装着タブ２８との間に対向するガセット支持体を形成することができる。こうして、装着タブ２８は、両軸方向に支持される。
【００１６】
[0026]筺体１２は、比較的高い熱伝導性を有する強力な材料から形成されてよい。アルミニウムが筺体１２に適した材料と考えられるが、他の材料が使用されてもよい。
[0027]作動する磁気駆動装置によって生成された熱に関連付けられた、筺体１２内に圧力の蓄積を防止するために、筺体１２は、さらに、液体ではなくガスが筺体１２内を出入りすることを可能にする１つまたは複数の均圧通気口４６を備えることができる。非限定的な例として、Ｗ．Ｌ．Ｇｏｒｅ  ＆  Ａｓｓｏｃｉａｔｅｓ，  Ｉｎｃ．によって供給されるＧＯＲＥ（登録商標）圧力通気口が、均圧通気口４６として使用するのに適している。
【００１７】
[0028]本発明が例示的な実施形態に関連して説明されてきたが、詳細な説明は、本発明の範囲を記載された特定の形態に限定するようには意図されない。本発明は、本発明の趣旨および範囲内に含まれ得るような、説明された実施形態のそのような代替形態、改変形態、および等価物を対象とするよう意図される。
【図１】
2016513548.tif 000003
【図２】
2016513548.tif 000004
【図３】
2016513548.tif 000005
【図４】
2016513548.tif 000006
【図５】
2016513548.tif 000007
【図６】
2016513548.tif 000008
【図７】
2016513548.tif 000009
【図８】
2016513548.tif 000010
【図９】
2016513548.tif 000011
【国際調査報告】
2016513548.tif 000012